(57)【要約】【課題】ＧＵＩ表示を利用する電子機器において、例えば、ユーザに注目して欲しい事項を視認し易いように表示することが課題になっていた。【解決手段】実施形態の電子機器は、ＧＵＩ表示の出力指示を受信する指示受信部を備える。また、前記出力指示に応じ、前記ＧＵＩ表示に表示する項目の３Ｄ深度に係る情報を取得する３Ｄ深度情報取得部を備える。また、前記取得された３Ｄ深度に係る情報に３Ｄで表示する情報が含まれる場合は、前記取得された３Ｄ深度に応じて、前記ＧＵＩ表示に表示する項目を３Ｄ表示で出力する３Ｄ表示出力部を備える。【選択図】  図６
2012257170.tif 000002
【特許請求の範囲】
【請求項１】
ＧＵＩ表示の出力指示を受信する指示受信部と、
前記出力指示に応じ、前記ＧＵＩ表示に表示する項目の３Ｄ深度に係る情報を取得する３Ｄ深度情報取得部と、
前記取得された３Ｄ深度に係る情報に３Ｄで表示する情報が含まれる場合は、前記取得された３Ｄ深度に応じて、前記ＧＵＩ表示に表示する項目を３Ｄ表示で出力する３Ｄ表示出力部を備える電子機器。
【請求項２】
前記３Ｄ深度は、少なくとも第１および第２の３Ｄ深度を備える請求項１に記載の電子機器。
【請求項３】
前記取得された３Ｄ深度に係る情報に３Ｄで表示しない情報が含まれる場合は、この３Ｄ深度に対応する前記ＧＵＩ表示に表示する項目を２Ｄ表示で出力する請求項１に記載の電子機器。
【請求項４】
前記取得された３Ｄ深度に係る情報に３Ｄで表示する情報が含まれない場合は、前記ＧＵＩ表示に表示する項目を２Ｄ表示で出力する請求項１に記載の電子機器。
【請求項５】
前記３Ｄ深度に係る情報は、予め設定される請求項１に記載の電子機器。
【請求項６】
前記３Ｄ深度に係る情報の設定が変更可能な設定変更部を備える請求項５に記載の電子機器。
【請求項７】
前記ＧＵＩ表示は、番組表を出力可能である請求項１に記載の電子機器。
【請求項８】
前記ＧＵＩ表示は、３Ｄ表示と２Ｄ表示が含まれる請求項７に記載の電子機器。
【請求項９】
前記ＧＵＩ表示は、設定メニューを出力可能である請求項１に記載の電子機器。
【請求項１０】
前記出力されたＧＵＩ表示を表示する表示部を備える請求項１に記載の電子機器。
【請求項１１】
前記３Ｄ深度に係る情報は前記ＧＵＩ表示に表示する項目の優先度に係る情報を含む請求項１に記載の電子機器。
【請求項１２】
ＧＵＩ表示の出力指示を受信するステップと、
前記出力指示に応じ、前記ＧＵＩ表示に表示する項目の３Ｄ深度に係る情報を取得するステップと、
前記取得された３Ｄ深度に係る情報に３Ｄで表示する情報が含まれる場合は、前記取得された３Ｄ深度に応じて、前記ＧＵＩ表示に表示する項目を３Ｄ表示で出力するステップを備える電子機器の制御方法。
【請求項１３】
ＧＵＩ表示の出力指示を受信するステップと、
前記出力指示に応じ、前記ＧＵＩ表示に表示する項目の３Ｄ深度に係る情報を取得するステップと、
前記取得された３Ｄ深度に係る情報に３Ｄで表示する情報が含まれる場合は、前記取得された３Ｄ深度に応じて、前記ＧＵＩ表示に表示する項目を３Ｄ表示で出力するステップを備える電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、ＧＵＩ（グラフィカルユーザインタフェース、Graphical User Interface）表示を利用する電子機器が普及している。ＧＵＩ表示は、例えば、コンピュータグラフィックスとポインティングデバイスを用い、直感的な操作を提供するユーザインタフェースである。
【０００３】
上記ＧＵＩ表示は、例えば、視認性や操作性に優れ、直感的な操作が可能であり、現在、パーソナルコンピュータ（ＰＣ）やテレビ、携帯型映像表示機器等の電子機器に用いられ、広く普及している。
【０００４】
しかし、これらのＧＵＩ表示を利用する電子機器においては、例えば、ユーザに注目して欲しい事項（項目等）を視認し易いように表示したいという要求があり、さらなる改善が望まれていた。
【先行技術文献】
【特許文献】
【０００５】
【特許文献１】特開２０００−３３３０９４号公報
【発明の概要】
【発明が解決しようとする課題】
【０００６】
ＧＵＩ表示を利用する電子機器において、例えば、ユーザに注目して欲しい事項を視認し易いように表示することが課題になっていた。
【課題を解決するための手段】
【０００７】
実施形態の電子機器は、ＧＵＩ表示の出力指示を受信する指示受信部を備える。
また、前記出力指示に応じ、前記ＧＵＩ表示に表示する項目の３Ｄ深度に係る情報を取得する３Ｄ深度情報取得部を備える。
また、前記取得された３Ｄ深度に係る情報に３Ｄで表示する情報が含まれる場合は、前記取得された３Ｄ深度に応じて、前記ＧＵＩ表示に表示する項目を３Ｄ表示で出力する３Ｄ表示出力部を備える。
【図面の簡単な説明】
【０００８】
【図１】実施形態に係わる電子機器（テレビ）の外観を示す図。
【図２】実施形態に係わる電子機器（テレビ）の構成を示すブロック図。
【図３】実施形態に係わる電子機器（テレビ）に予め設定される３Ｄ深度に係る情報（優先度と３Ｄ深度）のテーブルの例を示す図。
【図４】実施形態に係わる電子機器（テレビ）に表示出力される３Ｄ深度に係る情報（優先度と３Ｄ深度）の設定変更を入力可能な設定変更入力画面の一例を示す図。
【図５】実施形態に係わる電子機器（テレビ）において、例えば、上記設定変更入力画面を用いて設定変更された３Ｄ深度に係る情報（優先度と３Ｄ深度）のテーブルの例を示す図。
【図６】実施形態に係わる電子機器（テレビ）に表示出力されるＧＵＩ表示（番組表）の一例を示す図。
【図７】実施形態に係わる電子機器（テレビ）の動作を説明するフローチャート。
【図８】実施形態に係わる電子機器（テレビ）に予め設定されるＧＵＩ表示（初回設定メニュー）の優先度と３Ｄ深度を示すテーブルの例を示す図。
【図９】実施形態に係わる電子機器（テレビ）の映像表示部に表示出力されるＧＵＩ表示（初回設定メニュー）の例を示す図。
【図１０】他の実施形態に係わる電子機器の構成を示す図。
【発明を実施するための形態】
【０００９】
以下、図面を参照し、実施の形態を説明する。
図１は、実施形態に係わる電子機器（テレビ）の外観を示す図である。
近年、３Ｄ(スリーディー)映像を出力可能な電子機器が普及しつつある。
ここで、３Ｄとは、「three-dimensional」あるいは「three dimensions」の略語である。ここでは、３Ｄは、「３次元の」、あるいは「３次元」を意味する。例えば、映像の立体視等の用語等に用いられる。
【００１０】
ここでは、電子機器の一例としてテレビを用いて説明を行うが、この実施の形態は、他にもパーソナルコンピュータ（ＰＣ）やテレビ、携帯型映像表示機器等の電子機器に用いることが可能である。
【００１１】
電子機器（テレビ）１は、例えば、ユーザ（視聴者）によって操作されたリモコン（リモートコントローラ）２１から送信されるリモコン信号をリモコン信号受信部２０で受信し、映像表示等の動作を行う。
【００１２】
ここでは、電子機器（テレビ）１は、映像表示部（表示画面）８に３Ｄ映像を表示可能である。また、この３Ｄ映像は、例えば、左右異なる角度から撮影された映像である。そして、３Ｄメガネ１００を装着したユーザ（視聴者）によって視聴される。
【００１３】
なお、ここでは３Ｄメガネ１００を用いて３Ｄ映像を視聴する例を用いて説明を行うが、この実施の形態は、３Ｄメガネ１００を用いない裸眼３Ｄにも適用可能である。
【００１４】
この３Ｄメガネ１００は、例えば、液晶シャッタを構成し、電子機器（テレビ）１から出力される同期信号（ＳＳ）を受信する。そして、この同期信号（ＳＳ）を用いて、上記３Ｄメガネ１００のシャッタ制御を行なう。
【００１５】
また、この実施の形態においては、電子機器（テレビ）１は、例えば、カメラ３０を構成し、人の検出に利用する。
そして、この人の検出に利用されるカメラ３０は、例えば、電子機器（テレビ）１の映像表示部８の近傍に設けられる。なお、カメラ３０を映像表示部８に設けても良い。
【００１６】
なお、この実施の形態に係る電子機器（テレビ）１は、パーソナルコンピュータや携帯端末等の電子機器にも適用可能である。
図２は、実施形態に係わる電子機器（テレビ）の構成を示すブロック図である。
１は電子機器（テレビ）である。２はアンテナ、３はチューナ、４は信号処理部、５は映像処理部、６は音声処理部、７は表示装置、８は表示画面（映像表示部）、９はスピーカ、１０はバス、１１は制御部、１２はＭＰＵ、１３はＲＡＭ、１４はＲＯＭ、１５はフラッシュメモリ、１６は記憶部、１７は内部記録装置、１８は外部インターフェースである。１９は外部インターフェースに接続する外部記憶装置である。
【００１７】
２０は操作受信部、２１はリモコン、２２は送受信部（ネットワークインターフェース）、２５は放送局、２６はネットワーク（インターネット）、２７はサーバである。
【００１８】
ここでは、制御部１１はＭＰＵ（１２）を備え、電子機器（テレビ）１を制御する。また、ＲＡＭ（１３）、ＲＯＭ（１４）、フラッシュメモリ１５は、例えば制御部１１で行われる処理に利用される。
【００１９】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００２０】
信号処理部４で受信されたデジタル信号の映像コンテンツは信号処理が施され、音声処理部６および映像処理部５に送信される。
音声処理部６は信号処理が施された映像コンテンツを受信し、音声処理を施した信号をスピーカ９に送信する。
スピーカ９は音声処理が施された信号を受信し、音声を出力する。
また、映像処理部５は信号処理が施された映像コンテンツを受信し、映像処理を施した信号を表示装置７に送信する。
表示装置７は映像処理が施された信号を受信し、ＬＣＤパネル等で構成される表示画面（映像表示部）８に映像を表示する。
また、この実施の形態においては、電子機器（テレビ）１は内部記憶装置１７を備え、上記受信された映像コンテンツを記録することが可能である。
また、この実施の形態においては、電子機器（テレビ）１は上記のようにＵＳＢ接続やＬＡＮ接続される外部記憶機器１９を備えている。上記受信された映像コンテンツはこの外部記憶機器１９に記録することも可能である。
【００２１】
また電子機器（テレビ）１に対するユーザの操作は、例えばリモコン（リモートコントローラ）２１等の操作機器によって指示される。
これらの処理は、制御部１１に制御される。
また、上記のように、電子機器（テレビ）１は送受信部（ネットワークインターフェース）２２を介してサーバ２７に接続され、例えばウェッブページを受信してブラウジングすることが可能である。
【００２２】
また、この実施の形態においては、電子機器（テレビ）１は、例えば、映像処理部５で生成された同期信号（ＳＳ）を出力する。この同期信号（ＳＳ）は、上記のように、３Ｄメガネ１００で受信され、３Ｄメガネ１００を装着したユーザ（視聴者）の３Ｄ映像の視聴に利用される。
【００２３】
図３は、実施形態に係わる電子機器（テレビ）に予め設定される３Ｄ深度に係る情報（優先度と３Ｄ深度）のテーブルの例を示す図である。
ここでは、例えば、優先度の高い事項の３Ｄ深度を深く（ここでは高く）し、優先度の低い事項の３Ｄ深度は浅く（ここでは低く）する表示を行う。
この実施の形態においては、電子機器（テレビ）１は、例えば、図６や図９を用いて後述するようなＧＵＩ表示を行う。
この電子機器（テレビ）１は、例えば、ユーザによって指示されたＧＵＩ表示の出力指示を受信する。
そして、この出力指示に応じ、ＧＵＩ表示に表示する項目の３Ｄ深度に係る情報を取得する。
そして、この取得された３Ｄ深度に係る情報に３Ｄで表示する情報が含まれる場合は、取得された３Ｄ深度に応じ、ＧＵＩ表示に表示する項目を３Ｄ表示で出力する。
【００２４】
この実施の形態においては、図３に示すように、例えば、「カテゴリ」の種類にそれぞれ、「優先度」、「３Ｄ深度」が予め対応付けられ、テーブルが作成されている。
【００２５】
ここでは、３１の「予約済番組」は「優先度」は１、「３Ｄ深度」は１である。ここでは、「優先度」が１の場合に「３Ｄ深度」は１になる。また、「３Ｄ深度」の１は、例えば、図６、図９に示すように、その項目（ここでは「カテゴリ」）が１番目に高くなるような３Ｄ表示であることを示している。
【００２６】
また、３２の「お気に入りジャンル」は「優先度」は２、「３Ｄ深度」は２である。ここでは、「優先度」が２の場合に「３Ｄ深度」は２になる。また、「３Ｄ深度」の２は、その項目（ここでは「カテゴリ」）が２番目に高くなるような３Ｄ表示であることを示している。
【００２７】
３３の「お薦め番組」は「優先度」は３、「３Ｄ深度」は３である。ここでは、「優先度」が３の場合に「３Ｄ深度」は３になる。また、「３Ｄ深度」の３は、その項目（ここでは「カテゴリ」）が３番目に高くなるような３Ｄ表示であることを示している。
【００２８】
３４の「その他」は「優先度」は４、「３Ｄ深度」は４である。ここでは、「優先度」が４の場合に「３Ｄ深度」は４になる。また、「３Ｄ深度」の４は、その項目（ここでは「カテゴリ」）が４番目に高くなるような３Ｄ表示であることを示している。なお、ここでは、「３Ｄ深度」の４は一番低い３Ｄ表示であり、例えば、高さが「０」、すなわち、この項目（ここではその他）は２Ｄ表示で表示することも可能である。
【００２９】
このテーブルの情報は、例えば、フラッシュメモリ１５の記憶部１６に記憶される。
図４は、実施形態に係わる電子機器（テレビ）に表示出力される３Ｄ深度に係る情報（優先度と３Ｄ深度）の設定変更を入力可能な設定変更入力画面の一例を示す図である。
【００３０】
この設定変更入力画面は、例えば、電子機器１の映像表示部８に表示される。
そして、例えば、ユーザが上記リモコン２１を操作し、この設定変更入力画面を見ながら、上記図３に示すように、予め設定された３Ｄ深度に係る情報（優先度と３Ｄ深度のテーブル）の設定を変更入力することができる。
【００３１】
例えば、４１の「予約済番組」の３Ｄ深度に係る情報（優先度と３Ｄ深度）の設定変更を入力する際は、４０に示すように変更入力を行なう部分にカーソルを移動し、３Ｄ深度に係る情報（優先度と３Ｄ深度）を変更入力する。
【００３２】
同様に、４２の「お気に入りジャンル」、４３の「お薦め番組」、４４の「その他」の３Ｄ深度に係る情報（優先度と３Ｄ深度）の設定変更を入力する場合も変更入力を行なう部分にカーソルを移動し、３Ｄ深度に係る情報（優先度と３Ｄ深度）を変更入力する。
【００３３】
図５は、実施形態に係わる電子機器（テレビ）において、例えば、上記設定変更入力画面を用いて設定変更された３Ｄ深度に係る情報（優先度と３Ｄ深度）のテーブルの例を示す図である。
【００３４】
この実施の形態においては、例えば、上記のように、３Ｄ深度に係る情報（優先度と３Ｄ深度）が変更入力される。
ここでも、上記図３と同様に、「カテゴリ」の種類にそれぞれ、「優先度」、「３Ｄ深度」が予め対応付けられ、テーブルが作成されている。
上記のように、３Ｄ深度に係る情報（優先度と３Ｄ深度）が変更入力され、ここでは、３１の「予約済番組」の「優先度」は２、「３Ｄ深度」は２である。また、「３Ｄ深度」の２は、その項目（ここでは「カテゴリ」）が２番目に高くなるような３Ｄ表示であることを示している。
【００３５】
また、３２の「お気に入りジャンル」は「優先度」は１、「３Ｄ深度」は１である。ここでは、「優先度」が１の場合に「３Ｄ深度」は１になる。また、「３Ｄ深度」の１は、その項目（ここでは「カテゴリ」）が１番目に高くなるような３Ｄ表示であることを示している。
【００３６】
ここでは、３３の「お薦め番組」と「その他」の３Ｄ深度に係る情報（優先度と３Ｄ深度）は変更されず、３３の「お薦め番組」は「優先度」は３、「３Ｄ深度」は３である。また、３４の「その他」は「優先度」は４、「３Ｄ深度」は４である。
【００３７】
このテーブルの情報も、例えば、フラッシュメモリ１５の記憶部１６に記憶される。
図６は、実施形態に係わる電子機器（テレビ）に表示出力されるＧＵＩ表示（番組表）の一例を示す図である。
ここでは、電子機器（テレビ）１の映像表示部８に、このＧＵＩ表示（番組表）が表示される。
この実施の形態においては、上記図３を用いて説明したように、このＧＵＩ表示（番組表）は、例えば、ユーザに注目して欲しい事項が上記のように、３Ｄ深度に係る情報と対応付けられて、例えば、フラッシュメモリ１５の記憶部１６に予め設定されている。そして、ＧＵＩ表示（番組表）の表示指示に応じ、このＧＵＩ表示に表示する項目の３Ｄ深度に係る情報が、このフラッシュメモリ１５の記憶部１６から取得される。
【００３８】
そして、上記取得された３Ｄ深度に係る情報に３Ｄで表示する情報（例えば、上記３Ｄ深度１、３Ｄ深度２、３Ｄ深度３等）が含まれる場合は、図６に示すように、この取得された３Ｄ深度（３Ｄ深度１、３Ｄ深度２、３Ｄ深度３等）に応じて、上記ＧＵＩ表示（番組表）に表示する項目を３Ｄ表示で出力する。
【００３９】
すなわち、ここでは、上記図３に示すように、「予約済番組」は「優先度」は１、「３Ｄ深度」は１に設定されている。「お気に入りジャンル」は「優先度」は２、「３Ｄ深度」は２に設定されている。「お薦め番組」は「優先度」は３、「３Ｄ深度」は３に設定されている。また、「その他」は「優先度」は４、「３Ｄ深度」は４に設定されている。そして、「３Ｄ深度」の４は一番低い３Ｄ表示であり、２Ｄ表示で表示することも可能である。
【００４０】
なお、例えば、上記取得された３Ｄ深度に係る情報に上記３Ｄ深度４が含まれる場合は、例えば、３Ｄで表示する情報は含まれないと判別しても良い。
例えば、６１ｈの「番組Ｈ」はここでは、「予約済番組」である。そして、上記のように、「予約済番組」は「優先度」は１、「３Ｄ深度」は１に設定されており、図６に示すように、その項目（「予約済番組」）が１番目に高くなるような３Ｄ表示が行われる。
【００４１】
また、例えば、６１ｃの「番組Ｃ」はここでは、「お気に入りジャンル」である。そして、上記のように、「お気に入りジャンル」は「優先度」は２、「３Ｄ深度」は２に設定されており、その項目（「お気に入りジャンル」）が２番目に高くなるような３Ｄ表示が行われる。
【００４２】
また、例えば、６１ｏの「番組Ｏ」はここでは、「お薦め番組」である。そして、上記のように、「お薦め番組」は「優先度」は３、「３Ｄ深度」は３に設定されており、その項目（「お薦め番組」）が３番目に高くなるような３Ｄ表示が行われる。
【００４３】
また、例えば、６１ａの「番組Ａ」はここでは、「その他」である。そして、上記のように、「その他」は「優先度」は４、「３Ｄ深度」は４に設定されており、その項目（「その他」）が４番目に高くなるような３Ｄ表示が行われる。そして、「３Ｄ深度」の４は一番低い３Ｄ表示であり、２Ｄ表示で表示することも可能である。
【００４４】
このため、ここでは、６１ｈの「番組Ｈ（予約済番組）」、６１ｃの「番組Ｃ（お気に入りジャンル）」、６１ｏの「番組Ｏ（お薦め番組）」の順でそれぞれ３Ｄ深度を持つ表示が行われ、例えば、６１ａの「番組Ａ」等の「その他」の番組は２Ｄ表示で表示されている。なお、この２Ｄ表示は４番目に高くなるような３Ｄ表示で表示することも可能である。
【００４５】
すなわち、このＧＵＩ表示（番組表）においては、「番組Ｈ（予約済番組）」、「番組Ｃ（お気に入りジャンル）」、「番組Ｏ（お薦め番組）」は、ユーザに注目して欲しい事項であることを示している。
【００４６】
また、例えば、ＧＵＩ表示（番組表）の所定項目の表示面積を大きくすることにより、ユーザの視認性を向上させる技術がある。しかし、これでは、ＧＵＩ表示（番組表）の表示面積が低減してしまう恐れがあった。
【００４７】
この実施の形態においては、例えば、このように表示を行うことによって、表示面積の低減を防止することが可能になる。
図７は、実施形態に係わる電子機器（テレビ）の動作を説明するフローチャートである。
ステップＳ１００は、ここでの開始ステップである。続いて、ステップＳ１０１に進む。
ステップＳ１０１は、電子機器（テレビ）１の電源をＯＮにするステップである。続いて、ステップＳ１０２に進む。
ステップＳ１０２は、例えば、ユーザがリモコン２１を操作し、電子機器（テレビ）１に対し、ＧＵＩ表示（例えば、番組表）を表示指示するステップである。続いて、ステップＳ１０３に進む。
【００４８】
ステップＳ１０３は、電子機器（テレビ）１は、上記ＧＵＩ表示の表示指示を受信するステップである。続いて、ステップＳ１０４に進む。
ステップＳ１０４は、上記のように、例えば、フラッシュメモリ１５に予め設定された、ＧＵＩ表示（番組表）に表示する項目（例えば、番組情報等）の表示に係る優先度（３Ｄ深度）情報を取得するステップである。続いて、ステップＳ１０５に進む。
【００４９】
ステップＳ１０５は、上記取得されたＧＵＩ表示（番組表）に表示する項目（例えば、番組情報等）の表示に係る優先度（３Ｄ深度）情報に、３Ｄで表示する情報が含まれるかを判別するステップである。例えば、上記図６で説明したような、「３Ｄ深度」が１、２、３の場合は、３Ｄで表示する情報が含まれると判別し、「３Ｄ深度」が４の場合は、３Ｄで表示する情報は含まれないと判別する。
【００５０】
そして、上記取得されたＧＵＩ表示（番組表）に表示する項目（例えば、番組情報等）の表示に係る優先度（３Ｄ深度）情報に、３Ｄで表示する情報が含まれると判別される場合は、ステップＳ１０６に進む（Ｙｅｓ）。上記取得されたＧＵＩ表示（番組表）に表示する項目（例えば、番組情報等）の表示に係る優先度（３Ｄ深度）情報に、３Ｄで表示する情報が含まれないと判別される場合は、ステップＳ１０９に進む（Ｎｏ）。
【００５１】
ステップＳ１０６は、取得された優先度（３Ｄ深度）情報に応じ、３Ｄ表示する項目は３Ｄ表示、３Ｄ表示しない項目は２Ｄ表示のＧＵＩ表示（番組表）を作成するステップである。続いて、ステップＳ１０７に進む。
【００５２】
ステップＳ１０７は、上記作成した３Ｄ表示のＧＵＩ表示（番組表）を映像表示部８に向けて出力するステップである。続いて、ステップＳ１０８に進む。
ステップＳ１０８は、例えば、映像表示部８は、上記３Ｄ表示のＧＵＩ表示（番組表）を受信し、表示するステップである。続いて、ステップＳ１１２に進む。
ステップＳ１０９は、例えば、上記のように、２ＤのＧＵＩ表示（番組表）を作成するステップである。続いて、ステップＳ１１０に進む。
ステップＳ１１０は、２ＤのＧＵＩ表示（番組表）を映像表示部８に出力するステップである。続いて、ステップＳ１１１に進む。
ステップＳ１１１は、映像表示部８は上記２ＤのＧＵＩ表示（番組表）を受信し、表示するステップである。続いて、ステップＳ１１２に進む。
ステップＳ１１２は、終了ステップであり、ここでの処理は終了する。
図８は、実施形態に係わる電子機器（テレビ）に予め設定されるＧＵＩ表示（初回設定メニュー）の優先度と３Ｄ深度を示すテーブルの例を示す図である。
ここでは、図８に示すように、８１のカテゴリ「チューナ」は「優先度」は１、「３Ｄ深度」は１に設定されている。８２の「ネットワーク」は「優先度」は１、「３Ｄ深度」は１に設定されている。８３の「録画」は「優先度」は２、「３Ｄ深度」は２に設定されている。また、８４の「その他」は「優先度」は２、「３Ｄ深度」は２に設定されている。ここでは、「３Ｄ深度」の２は一番低い３Ｄ表示であり、上記と同様に、２Ｄ表示で表示することも可能である。
【００５３】
このように、この実施の形態においては、このＧＵＩ表示（初回設定メニュー）は、例えば、ユーザに注目して欲しい事項が３Ｄ深度に係る情報と対応付けられて、例えば、フラッシュメモリ１５の記憶部１６に予め設定されている。
【００５４】
図９は、実施形態に係わる電子機器（テレビ）の映像表示部に表示出力されるＧＵＩ表示（初回設定メニュー）の例を示す図である。
ここでは、電子機器（テレビ）１の映像表示部８に、このＧＵＩ表示（初回設定メニュー）が表示される。
この実施の形態においては、上記図８を用いて説明したように、このＧＵＩ表示（初回設定メニュー）は、例えば、ユーザに注目して欲しい事項が３Ｄ深度に係る情報と対応付けられて、例えば、フラッシュメモリ１５の記憶部１６に予め設定されている。
【００５５】
そして、ＧＵＩ表示（初回設定メニュー）の表示指示に応じ、このＧＵＩ表示に表示する項目の３Ｄ深度に係る情報が、このフラッシュメモリ１５の記憶部１６から取得される。
【００５６】
そして、上記取得された３Ｄ深度に係る情報に３Ｄで表示する情報（例えば、上記３Ｄ深度１等）が含まれる場合は、図９に示すように、この取得された３Ｄ深度（３Ｄ深度１等）に応じて、上記ＧＵＩ表示（初回設定メニュー）に表示する項目を３Ｄ表示で出力する。
【００５７】
例えば、４１の「チューナ」は「優先度」は１、「３Ｄ深度」は１に設定されており、図９に示すように、その項目（「チューナ」）が１番目に高くなるような３Ｄ表示が行われる。
【００５８】
また、ここでは、ユーザに「チューナ」の選択を促すように表示が行われ、「地デジ」、「ＢＳデジタル」、「○○」等が選択可能であることを示している。
また、例えば、４２の「ネットワーク」は「優先度」は１、「３Ｄ深度」は１に設定されており、図９に示すように、その項目（「ネットワーク」）が１番目に高くなるような３Ｄ表示が行われる。
【００５９】
また、ここでは、ユーザに「ネットワーク」の選択を促すように表示が行われ、「インターネット」、「○○」等が選択可能であることを示している。
また、例えば、４３の「録画」は「優先度」は２、「３Ｄ深度」は２に設定されている。ここでは、上記のように、この項目（「録画」）は、例えば、２Ｄ表示が行われる。
【００６０】
ここでは、ユーザに「録画」の選択を促すように表示が行われ、「ＨＤＤ」、「ＤＶＤ」、「ＢＤ」等が選択可能であることを示している。
また、例えば、４４の「画質」は「優先度」は２、「３Ｄ深度」は２に設定されている。ここでは、上記のように、この項目（「画質」）は、例えば、２Ｄ表示が行われる。
【００６１】
ここでは、ユーザに「画質」の選択を促すように表示が行われ、「○○」、「××」、「△△」等が選択可能であることを示している。
すなわち、このＧＵＩ表示（初回設定メニュー）においては、「チューナ」と「ネットワーク」は、上記のような３Ｄ表示を行い、ユーザに注目して欲しい事項であることを示している。
【００６２】
図１０は、他の実施形態に係わる電子機器の構成を示す図である。
この実施の形態においては、図１０に示すように、例えば、電子機器（ＢＤレコーダ）１ａと表示部を備えるＴＶ８ｂがＨＤＭＩケーブル１０１を介して接続されている。
【００６３】
そして、電子機器（ＢＤレコーダ）１ａから上記説明したＧＵＩ表示が出力される。
ＴＶ８ｂは、この電子機器（ＢＤレコーダ）１ａから出力されたＧＵＩ表示を受信し、上記と同様に、その映像表示部に表示する。
上記のように構成することによって、この実施の形態においては、例えば、ユーザに注目して欲しい事項を視認し易いように表示することが可能な、ＧＵＩ表示を利用する、電子機器を提供することが可能になる。
【００６４】
なお、上記実施形態は、記述そのものに限定されるものではなく、実施段階では、その趣旨を逸脱しない範囲で、構成要素を種々変形して具体化することが可能である。
【００６５】
また、上記実施形態に開示されている複数の構成要素の適宜な組み合せにより種々の発明を形成できる。
例えば、実施形態に示される全構成要素から幾つかの構成要素を削除してもよい。更に、異なる実施形態に亘る構成要素を適宜組み合せてもよい。
【符号の説明】
【００６６】
１…映像表示装置、２…アンテナ、３…チューナ、４…信号処理部、５…映像処理部、６…音声処理部、７…表示装置、８…表示画面（映像表示部）、９…スピーカ、１０…バス、１１…制御部、１２…ＭＰＵ、１３…ＲＡＭ、１４…ＲＯＭ、１５…フラッシュメモリ、１６…記憶部、１７…内部記録装置、１８…外部インターフェース、２５…放送局、２６…ネットワーク（インターネット）、２７…サーバ、３０…撮像装置（カメラ）、１００…３Ｄメガネ。
【図１】
2012257170.tif 000003
【図２】
2012257170.tif 000004
【図３】
2012257170.tif 000005
【図４】
2012257170.tif 000006
【図５】
2012257170.tif 000007
【図６】
2012257170.tif 000008
【図７】
2012257170.tif 000009
【図８】
2012257170.tif 000010
【図９】
2012257170.tif 000011
【図１０】
2012257170.tif 000012